(57)【特許請求の範囲】
【請求項１】
機器のケースに収容された回路基板にコネクタを搭載するとともに、ケーブルに装着されたコネクタを前記回路基板上のコネクタに前記ケースの外部から接続するコネクタの接続構造であって、
前記回路基板上のコネクタは、当該基板表面と平行な方向から前記ケーブル側コネクタを接続可能に差し込み口が設けられており、
前記ケースの前記回路基板のコネクタ搭載面側に、可撓性を有する樹脂からなるカバープレートが設けられており、
前記カバープレートにおける前記回路基板上のコネクタの差し込み口の手前近傍に相当する箇所に切り込みを舌片状に入れることにより、遊端を前記回路基板上のコネクタに向かうように配置して舌片が形成されており、
前記ケーブル側コネクタは、前記舌片を回路基板側に撓み変形させて前記カバープレートに形成した開口を通して、当該撓み変形させた前記舌片に沿うように前記ケース内に挿入して前記回路基板上のコネクタに接続されるものであり、
前記舌片は、前記ケーブル側コネクタから外れて復帰変形して前記ケーブルに当接した姿勢にて回路基板側に撓み変形された当該舌片の遊端が、前記回路基板上のコネクタに接続された前記ケーブル側コネクタの後端に近接対向し、かつ、前記ケーブル側コネクタに抜き差し方向の力が働いた際に、前記ケーブル側コネクタの後端が当該舌片の遊端に引っ掛かり、当該舌片は更に前記回路基板側に撓み変形されようとして前記回路基板に受け止められる長さに形成されている、ことを特徴とするコネクタの接続構造。
【請求項２】
請求項１に記載のコネクタの接続構造において、前記カバープレートを透視可能な樹脂材で構成してあるコネクタの接続構造。
【請求項３】
請求項１または２に記載のコネクタの接続構造において、前記機器が、ケースの表面側が操作面とされた制御用のリモコンであって、前記カバープレートがケースの裏面側に配備され、前記ケーブルが、前記リモコンと該リモコンによって制御される被制御機器との間の通信用のケーブルであるコネクタの接続構造。
【発明の詳細な説明】
【０００１】
【発明の属する技術分野】
本発明は、リモコンなどの制御用の機器に内装された回路基板に、外部から通信用のケーブルを接続する場合などに好適なコネクタの接続構造に関する。
【０００２】
【従来の技術】
給湯器などの制御用のリモコンにおいては、操作面側である表側ケースと裏側ケースとからなる樹脂製ケースに回路基板を内装し、この回路基板に搭載したコネクタに、前記リモコンによって制御される給湯器本体に接続された通信用ケーブルのコネクタを差込み接続するよう構成しており、裏側ケースには、回路基板のコネクタに臨めるように、コネクタ接続用の開口部を形成するのが一般的である。
【０００３】
【発明が解決しようとする課題】
この場合、ケースの薄形化を考えると、コネクタ接続用の開口部は、裏側ケースの外周辺に形成することになり、回路基板側のコネクタは、自ずと回路基板の端部に搭載せざるを得ないものとなり、基板側コネクタの設置に位置的な制約が加えられるとともに、裏側ケースが厚いものになってケース全体の薄型化を阻む一因となっていた。また、コネクタが不用意に抜けないようにロック手段を別途装備する必要が生じ、ケースの構造が複雑になっていた。
【０００４】
本発明は、このような実情に着目してなされたものであって、ケースの薄形化を促進することができるものでありながら、回路基板側コネクタの設置の自由度を高めて基板設計を容易化でき、また、特別なロック手段を用いることなく抜け難いコネクタ接続が可能となるコネクタの接続構造を提供することを目的とする。
【０００５】
【課題を解決するための手段】
本発明では、上記目的を達成するために、次のように構成している。
【０００６】
すなわち、請求項１に係る本発明のコネクタの接続構造は、機器のケースに収容された回路基板にコネクタを搭載するとともに、ケーブルに装着されたコネクタを前記回路基板上のコネクタに前記ケースの外部から接続するコネクタの接続構造であって、前記回路基板上のコネクタは、当該基板表面と平行な方向から前記ケーブル側コネクタを接続可能に差し込み口が設けられており、前記ケースの前記回路基板のコネクタ搭載面側に、可撓性を有する樹脂からなるカバープレートが設けられており、前記カバープレートにおける前記回路基板上のコネクタの差し込み口の手前近傍に相当する箇所に切り込みを舌片状に入れることにより、遊端を前記回路基板上のコネクタに向かうように配置して舌片が形成されており、前記ケーブル側コネクタは、前記舌片を回路基板側に撓み変形させて前記カバープレートに形成した開口を通して、当該撓み変形させた前記舌片に沿うように前記ケース内に挿入して前記回路基板上のコネクタに接続されるものであり、前記舌片は、前記ケーブル側コネクタから外れて復帰変形して前記ケーブルに当接した姿勢にて回路基板側に撓み変形された当該舌片の遊端が、前記回路基板上のコネクタに接続された前記ケーブル側コネクタの後端に近接対向し、かつ、前記ケーブル側コネクタに抜き差し方向の力が働いた際に、前記ケーブル側コネクタの後端が当該舌片の遊端に引っ掛かり、当該舌片は更に前記回路基板側に撓み変形されようとして前記回路基板に受け止められる長さに形成されているものである。
【０００７】
請求項１に係る本発明によれば、カバープレートの切り込み形成個所を撓み変形させてコネクタ挿入用の開口を形成し、この開口からケーブル側コネクタを挿入して回路基板側コネクタに接続することができる。
【０００９】
請求項１に係る本発明によれば、切り込み部位にケーブル側コネクタを押しつけることによって、切り込みによって形成された舌片が回路基板側に撓み変形されて開口が形成されることになり、撓み変形された舌片に沿うようにケーブル側コネクタを滑り込ませることで、開口内部において回路基板側コネクタに接続することができる。
【００１１】
請求項１に係る本発明によれば、上記のようにして回路基板側コネクタにケーブル側コネクタを接続すると、ケーブル側コネクタから外れた舌片は、復帰変形してケーブルに当接し、この時、舌片の遊端がケーブル側コネクタの後端に、当接または近接対向し、ケーブルが引かれる等してこのコネクタに抜き出し方向の力が働いても、コネクタの後端が舌片の遊端に引っ掛かって抵抗となる。回路基板側に撓み変形している舌片にコネクタ抜き出し方向の力がかかると、舌片は更に回路基板側に撓み変形されようとし、回路基板に受止められた舌片は、変形し難くなり、コネクタの抜け出しが阻まれることになる。
【００１２】
請求項２に係る本発明は、請求項１の発明において、前記カバープレートを透視可能な樹脂材で構成している。
【００１３】
請求項２に係る本発明によれば、回路基板側のコネクタの位置を外部から容易に目視することができ、コネクタ接続位置の所在を直ちに認識することができる。
【００１４】
請求項３に係る本発明は、請求項１または２の発明において、前記機器が、ケースの表面側が操作面とされた制御用のリモコンであって、前記カバープレートがケースの裏面側に配備され、前記ケーブルが、前記リモコンと該リモコンによって制御される被制御機器との間の通信用のケーブルである。
【００１５】
請求項３に係る本発明によれば、リモコンのケースを裏ケースを備えない表ケースだけのものに構成することができ、薄型化を図ることができる。
【００１６】
【発明の実施の形態】
以下、本発明の実施の態様を図面に基づいて説明する。
【００１７】
図１は、本発明に係るコネクタの接続構造を備えた機器の一例にあげた床暖房用給湯器のリモコンＡを表側から見た斜視図、図２は、その裏側から見た斜視図、また、図３は、その要部の縦断面図である。
【００１８】
このリモコンＡは、ＡＢＳ樹脂などの樹脂材によって浅い矩形のパレット状に形成されたケース１の内部に回路基板（制御基板）２が収容されるとともに、ケース１の表面に、ＡＢＳ樹脂などの樹脂材によって成形されたカバー３が縦向き支点周りに揺動開閉可能に枢支連結されており、図示しないが、このカバー３を開くと、その内部に、運転入り切りスイッチ、温度調節スイッチ、能力切替スイッチ、タイマー設定用のスイッチ類、液晶表示パネル、運転ランプ、タイマー運転ランプ、などのＬＥＤランプ類を備えた操作面が現れるよう構成されている。また、ケース１の表面下部には、内装した室温センサに連通する通気用のスリット４が設けられている。なお、カバー３を閉じた状態でも、運転入り切りスイッチを操作できるとともに、モニタ窓５を介して運転ランプを透視することができるように構成されている。
【００１９】
図２〜図５に示すように、ケース１の裏面には、室内の壁面などにネジ止めされる鋼板製の取付け板６が連結されており、この取付け板６に回路基板２が装着支持されている。そして、壁面などに取付け板６を固定した後に、この取付け板６にケース１を前面から装着するようになっている。
【００２０】
この取付け板６の中央部は中抜き開口されており、この開口を塞ぐようにポリエチレン樹脂などの絶縁性に優れるとともに適度の可撓性を有する透明な樹脂材からなるカバープレート７が取付けられて、回路基板２が裏側から覆い隠されるようになっている。
【００２１】
回路基板２には、種々の電子部品８が搭載されるとともに、その裏面側の適所に、リモコンＡによって制御される給湯器本体の制御装置から導出された通信用のケーブル（フラットケーブル）９のコネクタ１０を接続するコネクタ１１が搭載されている。そして、カバープレート７には、基板側コネクタ１１の差込み口の手前近傍に相当する個所に、ケーブル側コネクタ１０を挿入する開口部を形成するために舌片状の切り込み１２が形成されている。
【００２２】
この実施の形態では、この切り込み１２は、コの字状のものであり、この切り込み１２によって形成される舌片１３の遊端が、基板側コネクタ１１に向かうように設定されている。
【００２３】
ケーブル側コネクタ１０の接続に際しては、図６に示すように、ケーブル側コネクタ１０を、切り込み１２部位に押しつけることによって、舌片１３が基板側に撓み変形されて開口が形成されることになり、撓み変形された舌片１３に沿うようにケーブル側コネクタ１０を滑り込ませることで、開口内部において基板側コネクタ１１に接続することができる。
【００２４】
このようにして基板側コネクタ１１にケーブル側コネクタ１０を接続すると、ケーブル側コネクタ１０から外れた舌片１３は復帰変形してケーブル９に当接し、この時、舌片１３の遊端がケーブル側コネクタ１０の後端に近接対向し、ケーブル９が引かれる等してこのコネクタ１０に抜き出し方向の力が働いても、コネクタ１０の後端が舌片１３の遊端に引っ掛かって抵抗となる。基板側に撓み変形している舌片１３にコネクタ抜き出し方向の力がかかると、舌片１３は更に基板側に撓み変形されようとし、回路基板２に受止められた舌片１３は変形し難くなり、コネクタ１０の抜け出しが阻まれることになる。
【００２５】
本発明は、以下のような形態で実施することもできる。
【００２６】
（１）カバープレート７は、透明あるいは半透明の樹脂材で形成することが、内部のコネクタ１１を透視しながらケーブル側コネクタ１０を挿抜操作することができて便利であるが、不透明な樹脂材で実施することも可能である。
【００２７】
（２）図７，図８に示すように、切り込み１２の向きを上記と逆にして、舌片１３をめくり上げ変形させてコネクタ挿入用の開口を形成するようにしてもよい。この場合、コネクタ１０の抜け出し抵抗を付与する機能はなくなるが、コネクタ接続後にコネクタ挿入用の開口を舌片１３で閉じておくことができるものとなる。
【００２８】
【発明の効果】
以上の説明から明らかなように、本発明によれば以下に示すような効果が期待できる。
【００２９】
請求項１に係る発明によれば、カバープレートの切り込み部位を撓み変形させて開口を形成して、外部からケーブル側コネクタを挿入することができるので、ケースに内装した回路基板上のコネクタを基板端部に限られることなく任意の位置に設置することができ、基板設計の自由度が高いものとなる。また、ケース外周面などのコネクタ挿入用の開口部を設置する必要がなくなるので、ケース全体の薄型化に有効となる。
【００３０】
請求項１に係る発明によれば、切り込みによって形成された舌片にケーブル側コネクタを押し付けて、舌片を基板側に押し込み変形しながら挿入するだけで接続ができるので、開口を形成するための特別な操作が不要となり、コネクタ接続操作が簡単容易となる。
【００３１】
請求項１に係る発明によれば、切り込みによって形成された舌片が、接続されたケーブル側コネクタの後端に引っ掛かって、抜け出しの抵抗となるので、特別なロック手段を備える必要なくコネクタの不用意な外れを防止することができる。
【００３２】
請求項２に係る発明によれば、カバープレートを通して内部のコネクタを目視することができ、コネクタ接続操作を正確かつ速やかに行うことができ、作業性の向上に有効となる。
【００３３】
請求項３に係る発明によれば、請求項１または２の発明を有効かつ好適に実施することができる。
【図面の簡単な説明】
【図１】本発明に係るコネクタの接続構造を備えたリモコンを表面側から見た斜視図
【図２】ケーブルが接続されたリモコンを裏面側から見た斜視図
【図３】ケーブルが接続されたリモコンの要部を示す縦断面図
【図４】ケーブルが接続されていないリモコンを裏面側から見た斜視図
【図５】ケーブルが接続されていないリモコンの裏面図
【図６】コネクタ接続手順を示す要部の縦断面図
【図７】別実施形態のリモコンを表面側から見た斜視図
【図８】別実施形態のリモコンの要部を示す縦断面図
【符号の説明】
１          ケース
２          回路基板
７          カバープレート
９          ケーブル
１０        コネクタ（ケーブル側）
１１        コネクタ（基板側）
１２        切り込み
１３        舌片
【図１】
0004734755.tif 000002
【図２】
0004734755.tif 000003
【図３】
0004734755.tif 000004
【図４】
0004734755.tif 000005
【図５】
0004734755.tif 000006
【図６】
0004734755.tif 000007
【図７】
0004734755.tif 000008
【図８】
0004734755.tif 000009